(57)【要約】【課題】ＡＦ補助光を利用して、遠近競合時に主被写体に対して正確に合焦させる。【解決手段】光学機器は、被写体像を光電変換する撮像素子６を用いて得られた画像信号から評価信号を生成する評価信号生成手段１４と、フォーカスレンズ３をスキャン範囲で移動させて取得した評価信号に基づいて合焦位置を検出し、該合焦位置にフォーカスレンズを移動させるＡＦ制御手段１５と、被写体に対してＡＦ補助光を照射する発光手段３３と、フォーカスレンズのスキャン範囲での移動時に発光手段を制御する補助光制御手段１５とを有する。補助光制御手段は、合焦位置検出に関する遠近競合の発生可能性を判定し、該判定結果に応じて発光手段を点灯させる被写体輝度を変更する。【選択図】図１
2008058701.tif 000002
【特許請求の範囲】
【請求項１】
被写体像を光電変換する撮像素子を用いて得られた画像信号から評価信号を生成する評価信号生成手段と、
フォーカスレンズを移動させて取得した前記評価信号に基づいて合焦位置を検出し、該合焦位置に前記フォーカスレンズを移動させるＡＦ制御手段と、
被写体に対してＡＦ補助光を発光する発光手段と、
前記フォーカスレンズの移動の際に前記発光手段を制御する補助光制御手段とを有し、
前記補助光制御手段は、合焦位置の検出の際における遠近競合の発生可能性を判定し、該判定結果に応じて前記発光手段を点灯させる被写体輝度を変更することを特徴とする光学機器。
【請求項２】
前記補助光制御手段は、遠近競合の発生可能性が第１の可能性であると判定した場合は、前記発光手段を点灯させる被写体輝度を、前記第１の可能性より低い第２の可能性であると判定した場合に比べて、高い輝度に設定することを特徴とする請求項１に記載の光学機器。
【請求項３】
前記補助光制御手段は、撮影モード、被写体輝度、被写体の色情報、ホワイトバランス係数および撮影時刻のうち少なくとも１つに基づいて、遠近競合の発生可能性を判定することを特徴とする１又は２に記載の光学機器。
【請求項４】
前記補助光制御手段は、前記フォーカスレンズが移動する区間のうち第１の距離よりも遠距離の被写体に合焦可能な第１の区間で移動するときと前記第１の距離よりも近距離の被写体に合焦可能な第２の区間で移動するときとで、前記発光手段の状態を変更することを特徴とする請求項１に記載の光学機器。
【請求項５】
前記補助光制御手段は、前記フォーカスレンズが前記第１の区間で移動するときは前記発光手段を消灯させ、前記第２の区間で移動するときは前記発光手段を点灯させることを特徴とする請求項４に記載の光学機器。
【請求項６】
前記補助光制御手段は、前記フォーカスレンズが前記第２の区間で移動するときは、前記第１の区間で移動するときに比べてＡＦ補助光が明るくなるように前記発光手段を制御することを特徴とする請求項４に記載の光学機器。
【請求項７】
前記補助光制御手段は、前記フォーカスレンズが前記第１の区間で移動するときは前記第１の距離の被写体に合焦可能な位置に近いほどＡＦ補助光の明るさが増加し、前記第２の区間で移動するときはＡＦ補助光の明るさが前記第１の区間での最大の明るさ以上の明るさになるように前記発光手段を制御することを特徴とする請求項４に記載の光学機器。
【請求項８】
前記補助光制御手段は、前記フォーカスレンズが無限遠側の被写体に合焦可能な位置にあるときは、前記発光手段を消灯することを特徴とする請求項７に記載の光学機器。
【請求項９】
前記第１の距離は、前記ＡＦ補助光が到達可能な距離と撮影距離の頻度に関する情報とに基づいて決定されることを特徴とする請求項４から８のいずれか１つに記載の光学機器。
【請求項１０】
被写体像を光電変換する撮像素子を用いて得られた画像信号から評価信号を生成するステップと、
フォーカスレンズを移動させて取得した前記評価信号に基づいて合焦位置を検出し、該合焦位置に前記フォーカスレンズを移動させるよう制御するステップと、
前記フォーカスレンズの移動の際に、発光手段から被写体に対してＡＦ補助光を発光するステップと、
合焦位置の検出の際に遠近競合の発生可能性を判定し、該判定結果に応じて前記ＡＦ補助光を被写体に対して発光する被写体輝度を変更するステップとを有することを特徴とする光学機器の制御方法。
【発明の詳細な説明】
【技術分野】
【０００１】
本発明は、自動焦点調節機能を有する光学機器に関し、さらに詳しくは、撮像素子からの出力により生成される画像信号を使用して焦点調節を行う光学機器に関する。
【背景技術】
【０００２】
撮像素子からの出力により生成される画像信号を使用して焦点調節を行う、いわゆるスキャンＡＦでは、フォーカスレンズをスキャン範囲（例えば、無限遠端から至近端）で移動（スキャン）させながら画像信号を取得する。そして、得られた画像信号からＡＦ評価値を取得し、ＡＦ評価値がピークとなるフォーカスレンズ位置（ピーク位置）を検出する。そして、検出したピーク位置にフォーカスレンズを移動させることで、合焦を得る。
【０００３】
但し、被写体輝度が低い場合は、被写体のコントラストを反映するＡＦ評価値の変化幅が小さいので、ピーク位置を検出することが難しい。このため、フォーカスレンズをスキャン範囲で移動させる際に被写体に対してＡＦ補助光を照射するのが一般的である。
【０００４】
特許文献１には、ＡＦの高速化を図るためにＡＦ補助光を利用する方法が開示されている。具体的には、ＡＦ補助光の点灯時と非点灯時でのＡＦ評価値の差を求め、該差が小さい場合には遠距離被写体に合焦可能な範囲で、該差が大きい場合には近距離被写体に合焦可能な範囲でフォーカスレンズを移動させる。
【０００５】
また、特許文献２には、ＡＦ補助光の光源として用いられる発光手段の負荷を軽減するとともに、遠距離でも正確な焦点検出ができるようにするための方法が開示されている。具体的には、複数の発光手段を設け、一部の発光手段を点灯させた状態での焦点検出が不可能であると判定した場合に、点灯させる発光手段を増加させるというものである。
【０００６】
さらに、特許文献３には、ＡＦ補助光の光量を最適とするために、ＡＦ補助光の不使用時と使用時での被写体輝度の差に基づいてＡＦ補助光の出力光量を決定する方法が開示されている。
【特許文献１】特開２００１−１６６２００号公報（段落００２７〜００３６等）
【特許文献２】特開平１１−９５０９３号公報（段落００６０〜００６１等）
【特許文献３】特開２００３‐１１４３７４(段落００４７〜００６８等)
【発明の開示】
【発明が解決しようとする課題】
【０００７】
しかしながら、スキャンＡＦにおいて、いわゆる被写体の遠近競合が発生する場合がある。遠近競合とは、画面又はその一部であるＡＦ枠内に互いに異なる距離の複数の被写体が存在する場合に、本来合焦を得たい主被写体とは別の被写体に対してピーク位置が検出され、そこにフォーカスレンズが移動してしまう現象である。
【０００８】
そして、上記各特許文献にて開示された方法では、フォーカスレンズの移動範囲を制限してＡＦを高速化したり、ＡＦ補助光の光源数や光量を最適化したりすることは可能である。しかし、これらの方法では、上記のようなＡＦにおける遠近競合を回避することができない。
【０００９】
本発明は、ＡＦ補助光を利用して、遠近競合時に主被写体に対して正確に合焦させることができるようにした光学機器および制御方法を提供することを目的の１つとしている。
【課題を解決するための手段】
【００１０】
本発明の一側面としての光学機器は、被写体像を光電変換する撮像素子を用いて得られた画像信号から評価信号を生成する評価信号生成手段と、フォーカスレンズを移動させて取得した評価信号に基づいて合焦位置を検出し、該合焦位置にフォーカスレンズを移動させるＡＦ制御手段と、被写体に対してＡＦ補助光を照射する発光手段と、フォーカスレンズの移動の際に発光手段を制御する補助光制御手段とを有する。そして、補助光制御手段は、合焦位置の検出の際における遠近競合の発生可能性を判定し、該判定結果に応じて発光手段を点灯させる被写体輝度を変更することを特徴とする。
【００１１】
また、本発明の他の側面としての光学機器の制御方法は、被写体像を光電変換する撮像素子を用いて得られた画像信号から評価信号を生成するステップと、フォーカスレンズを移動させて取得した評価信号に基づいて合焦位置を検出し、該合焦位置にフォーカスレンズを移動させるよう制御するステップと、フォーカスレンズの移動の際に、発光手段から被写体に対してＡＦ補助光を照射するステップと、合焦位置の検出の際における遠近競合の発生可能性を判定し、該判定結果に応じてＡＦ補助光を被写体に対して照射する被写体輝度を変更するステップとを有することを特徴とする。
【発明の効果】
【００１２】
本発明によれば、遠近競合が発生し易い状況であっても主被写体に対する評価信号（ＡＦ評価値）のピーク位置を検出できる確率を高めることができる。このため、遠近競合の発生時に正確に主被写体に対する合焦を得ることができる。
【発明を実施するための最良の形態】
【００１３】
以下、本発明の実施例について図面を参照しながら説明する。
【実施例１】
【００１４】
図１には、本発明の実施例１である光学機器としての撮像装置の構成を示している。１は撮像装置である。２は変倍を行うズームレンズ、３はフォーカシングを行うフォーカスレンズ、４は絞りである。絞り４は、ズームレンズ２およびフォーカスレンズ３を含む撮影光学系を透過する光量を制御する。３１は撮影光学系を収容するレンズ鏡筒である。
【００１５】
５は撮影光学系を透過した光によって形成された被写体像を光電変換するＣＣＤセンサやＣＭＯＳセンサ等からなる固体撮像素子（以下、ＣＭＯＳという）である。６はＣＭＯＳ５からの電気信号を受けて各種の画像処理を施すことにより画像信号を生成する撮像回路である。７は撮像回路６により生成されたアナログ画像信号をデジタル画像信号に変化するＡ／Ｄ変換回路である。８はＡ／Ｄ変換回路７からの画像信号を一時的に記憶するバッファメモリ等のメモリ（ＶＲＡＭ）である。９はＶＲＡＭ８に記憶された画像信号を読み出してアナログ信号に変換するとともに再生出力に適した形態の画像信号に変換するＤ／Ａ変換回路である。
【００１６】
１０はＤ／Ａ変換回路９からの画像信号を表示するＬＣＤ等のディスプレイ（以下、ＬＣＤという）である。１２は画像データを記憶する記録媒体として記録メモリである。記録メモリとしては、フラッシュメモリ等の固定型の半導体メモリや、カード又はスティック形状を有し、撮像装置１に対して着脱可能な半導体メモリが使用される。また、ハードディスク等の磁気ディスクや光ディスクを使用することもできる。
【００１７】
１１は圧縮伸長回路である。該圧縮伸長回路１１は、ＶＲＡＭ８に一時記憶された画像信号を読み出して、記録メモリ１２に記憶するために画像データの圧縮処理や符号化処理を施す。また、記録メモリ１２に記憶された画像データを再生表示するための復号化処理や伸長処理を施す。
【００１８】
１３はＡ／Ｄ変換回路７からの出力に基づいて自動露出（ＡＥ）処理を行うＡＥ処理回路である。１４はＡ／Ｄ変換回路７からの出力に基づいて自動焦点調節（ＡＦ）処理を行うためのＡＦ評価値信号を生成するスキャンＡＦ処理回路である。１５は撮像装置１の全体の制御を司るコントローラとしてのＣＰＵであり、演算用のメモリを内蔵している。
【００１９】
１６は撮像装置１の各種動作のタイミングを決定するためのタイミング信号を発生するタイミングジェネレータ（以下、ＴＧという）である。１７はＣＭＯＳ５を駆動するＣＭＯＳドライバである。
【００２０】
２１は絞り４を駆動する絞り駆動モータであり、１８は絞り駆動モータ２１を制御する絞りモータ駆動回路である。２２はフォーカスレンズ３を駆動するフォーカス駆動モータであり、１９はフォーカス駆動モータ２２を制御するフォーカスモータ駆動回路である。２３はズームスレンズ２を駆動するズーム駆動モータであり、２０はズーム駆動モータ２３を制御するズームモータ駆動回路である。
【００２１】
２４は各種スイッチを含む操作スイッチである。操作スイッチ２４は、本撮像装置１を起動させる主電源スイッチや、撮影準備動作および撮影動作を開始させるレリーズスイッチを含む。また、画像の再生動作を開始させる再生スイッチや、撮影光学系のズーム動作を行わせるズームスイッチも含む。レリーズスイッチは、撮影準備動作としてのＡＥ処理やＡＦ処理を開始させる指示信号を発生する第１ストロークスイッチ（以下、ＳＷ１という）を有する。また、レリーズスイッチは、画像の取得および記録を行う撮影動作を開始させる指示信号を発生する第２ストロークスイッチ（以下、ＳＷ２という）を含む。
【００２２】
２５は各種制御等を行うためのコンピュータプログラムやデータ等が予め記憶されている電気的に書き換え可能な読み出し専用メモリ（例えば、ＥＥＰＲＯＭ）である。
【００２３】
２６は撮像装置１の電源となる電池である。２８は被写体照明するフラッシュ光を発するフラッシュ発光部である。２７はフラッシュ発光部２８の発光を制御するスイッチング回路である。２９は警告表示などの各種表示を行う表示素子であり、ＬＥＤなどにより構成されている。３０はガイダンスや警告などの音声を発するスピーカーである。３３はＬＥＤなどの光源を有するＡＦ補助光発光部である。３２はＡＦ補助光発光部３３を駆動するＡＦ補助光駆動回路である。
【００２４】
このように構成される撮像装置１の動作について以下に説明する。まず、被写体から撮影光学系に入射した光は、絞り４によってその光量が調整された後、ＣＭＯＳ５の受光面に結像する。被写体像は、ＣＭＯＳ５による光電変換処理によって電気信号に変換される。該電気信号は、撮像回路６に出力される。すなわち、ＣＭＯＳ５の電荷蓄積の終了後にＣＭＯＳ５から画素信号が読み出され、その信号が撮像回路６に入力される。
【００２５】
撮像回路６では、入力信号に対して、γ補正やホワイトバランス処理等の各種画像処理を施して画像信号を生成する。この画像信号は、Ａ／Ｄ変換回路７に出力されてデジタル画像データに変換された後、ＶＲＡＭ８に一時的に格納される。
【００２６】
ＶＲＡＭ８に格納された画像データは、Ｄ／Ａ変換回路９へ出力されてアナログ画像データに変換されて、ＬＣＤ１０に表示される。一方、ＶＲＡＭ８に格納された画像データは圧縮伸長回路１１にも出力され、ここで圧縮および符号化された後、記録メモリ１２に記憶される。
【００２７】
また、操作スイッチ２４のうち不図示の再生スイッチが操作されると、再生動作が開始される。再生動作では、記録メモリ１２に圧縮記憶された画像データが圧縮伸長回路１１に出力され、ここで復号化処理や伸長処理が施された後、ＶＲＡＭ８に出力されて一時的に記憶される。ＶＲＡＭ８に記憶された画像データは、Ｄ／Ａ変換回路９へ出力されてアナログ信号に変換され、ＬＣＤ１０に表示される。
【００２８】
また、Ａ／Ｄ変換回路７によってデジタル化された画像データは、ＡＥ処理回路１３およびスキャンＡＦ処理回路１４にも出力される。
【００２９】
ＡＥ処理回路１３は、１画面分のデジタル画像データの輝度値に対して累積加算等の演算処理を行う。これにより、被写体の明るさに応じたＡＥ評価値が算出される。このＡＥ評価値は、ＣＰＵ１５に出力される。
【００３０】
また、スキャンＡＦ処理回路１４は、１画面のうち焦点検出（コントラスト検出）を行う領域であるＡＦ枠内のデジタル画像データから高周波成分をハイパスフィルター（ＨＰＦ）等を介して抽出し、該高周波成分の累積加算等の演算処理を行う。これにより、高域側の輪郭成分量等に対応したＡＦ評価値信号が算出される。このようにスキャンＡＦ処理回路１４は、ＡＦ処理を行う過程において、ＣＭＯＳ５を用いて生成された画像信号からＡＦ評価値信号を生成する評価信号生成手段としての役割を有する。ＡＦ評価値信号は、ＣＰＵ１５に出力される。
【００３１】
ＴＧ１６からは所定のタイミング信号がＣＰＵ１５、撮像回路６およびＣＭＯＳドライバ１７に出力される。ＣＰＵ１５はこのタイミング信号に同期して各種制御を行う。また、撮像回路６は、タイミング信号に同期して色信号の分離等の各種画像処理を行う。さらに、ＣＭＯＳドライバ１７は、タイミング信号に同期してＣＭＯＳ５を駆動する。
【００３２】
また、ＣＰＵ１５は、モータ駆動回路１８〜２０を通じて絞り駆動モータ２１、フォーカス駆動モータ２２およびズーム駆動モータ２３を制御する。これにより、絞り４、フォーカスレンズ３およびズームスレンズ２の駆動が制御される。
【００３３】
具体的には、ＣＰＵ１５は、ＡＥ処理回路１３において算出されたＡＥ評価値等に基づいて絞りモータ駆動回路１８を通じて絞り駆動モータ２１を制御し、ＣＭＯＳ５の適正な露光量が得られるように絞り４の開口径を変化させる。これが、ＡＥ制御である。また、ＣＰＵ１５は、スキャンＡＦ処理回路１４において算出されたＡＦ評価値信号の値、すなわちＡＦ評価値に基づいてフォーカスモータ駆動回路１９を通じてフォーカス駆動モータ２２を制御し、フォーカスレンズ３を合焦位置に移動させる。これが、ＡＦ制御であり、ＣＰＵ１５は、ＡＦ制御手段として機能する。
【００３４】
また、ＣＰＵ１５は、操作スイッチ２４のうち不図示のズームスイッチが操作された場合は、ズームモータ駆動回路２０を通じてズーム駆動モータ２３を制御し、ズームレンズ２を移動させる。これにより、撮影光学系の変倍動作（ズーム動作）が行われる。
【００３５】
次に、本実施例の撮像装置１における撮影動作（撮影処理シーケンス）を、図２に示すフローチャートを用いて説明する。撮影処理シーケンスは、ＣＰＵ１５が、メモリ２５又はＣＰＵ内蔵メモリに格納されたコンピュータプログラムに従って実行する。
【００３６】
撮像装置１の主電源スイッチがオンであり、かつ撮像装置１の動作モードが撮影（録画）モードにあるときに、撮影処理シーケンスが実行される。
【００３７】
まず、ステップＳ１において、ＣＰＵ１５は、撮影光学系を透過した光により形成された被写体像をＣＭＯＳ５により光電変換し、ＬＣＤ１０にその画像（ＥＶＦ画像）を表示する。具体的には、ＣＭＯＳ５上に形成された被写体像は、ＣＭＯＳ５により光電変換され、被写体像に対応した電気信号が撮像回路６に出力される。撮像回路６は、入力信号に対して各種信号処理を施し、画像信号を生成する。画像信号は、Ａ／Ｄ変換回路７でデジタル画像データに変換され、ＶＲＡＭ８に一時的に格納される。ＶＲＡＭ８に格納された画像データは、Ｄ／Ａ変換回路９でアナログ信号に変換され、ＬＣＤ１０に画像（ＥＶＦ画像）として表示される。
【００３８】
次にステップＳ２において、ＣＰＵ１５は、レリーズスイッチの状態を確認する。撮影者によってレリーズスイッチが操作され、ＳＷ１がオンになったことを確認すると、次のステップＳ３に進み、通常のＡＥ処理を実行する。続いて、ステップＳ４において、ＣＰＵ１５は、合焦位置を検出するためのスキャンＡＦ処理を行う。スキャンＡＦ処理では、ＣＭＯＳ５を用いて生成された画像信号から生成されるＡＦ評価値信号がピークとなるフォーカスレンズ３の位置（合焦位置）を求める。
【００３９】
スキャンＡＦ処理の結果、その信頼性が十分であれば、ステップＳ５において、ＡＦ処理が正常に完了した旨（ＡＦＯＫ）を示す表示を行う。これは、例えば、表示素子２９を点灯したり、ＬＣＤ１０上の画像内に緑色の枠を表示したりして行う。一方、その信頼性が低い場合には、ステップＳ５においてＡＦ処理が正常に完了していない旨（ＡＦＮＧ）を示す表示を行う。これは、例えば、表示素子２９を点滅させたり、ＬＣＤ１０上の画像内に黄色の枠を表示したりして行う。
【００４０】
ステップＳ６において、ＣＰＵ１５は、ＳＷ２がオンか否かを確認する。ＳＷ２がオンである場合は、ステップＳ７に進み、撮影記録処理（露光処理）を実行する。
【００４１】
ここで、ステップＳ４で行われるスキャンＡＦ処理の詳細について、図３を用いて説明する。本実施例の説明においては、フォーカスレンズ３を駆動しながらＡＦ評価値を取得する動作をスキャン動作といい、ＡＦ評価値を取得するフォーカスレンズ３の位置間隔をスキャン間隔という。
【００４２】
まず、ステップＳ３０１では、ＣＰＵ１５は、ＳＷ１がオンされる前に、ＡＦ補助光を点灯するときの輝度設定を行う。その手順を図４に示す。
【００４３】
ここでは、まず撮影モードの設定状況を調べる。ステップＳ４０１では、撮影モードがパーティーモードに設定されているか否かを調べる。パーティーモードに設定されていたらステップＳ４１１へ進む。パーティーモードでない場合はステップＳ４０２へ進み、スナップモードに設定されているか否かを調べる。スナップモードに設定されていたらステップＳ４１１へ進む。
【００４４】
スナップモードでない場合はステップＳ４０３へ進み、遠景撮影モードに設定されているか否かを調べる。遠景撮影モードに設定されていたらステップＳ４１０へ進む。遠景撮影モードでない場合はステップＳ４０４へ進み、マクロ撮影モードに設定されているか否かを調べる。マクロ撮影モードに設定されていたらステップＳ４１０へ進む。遠景撮影モードでない場合、すなわち上記のどのモードでもない場合はステップＳ４０５へ進む。
【００４５】
ステップＳ４０５では、ＣＰＵ１５は、被写体の輝度を調べる。被写体の輝度はＡＥ処理回路１３において、それまでＬＣＤ１０に表示されていたＥＶＦ画像の画像信号をＡＥ処理回路１３に入力し、１画面分の画像データの輝度値に対して累積加算等の演算処理を行うことにより求める。求まった輝度が明るい場合（例えば、Ｂｖ１３以上の場合）は、ステップＳ４１０へ進む。輝度が中程度（例えば、Ｂｖ８以上Ｂｖ１３未満）もしくは暗い場合（例えは、Ｂｖ８未満）の場合はステップＳ４０６へ進み、ホワイトバランス係数を調べる。
【００４６】
ホワイトバランス係数とは、どのような光源下においても白を白として撮影するための画像処理の１つとして行われるホワイトバランス処理で用いられる係数である。言い換えれば、光源の種類によって画像全体の色味が変わるので、それを補正するための係数である。例えば、白熱電球で照明されると画像全体の色に赤味がかかり、蛍光灯で照明されると青味がかかる。太陽光でも、朝日や夕日を浴びると赤味がかかり、日陰では青味がかかり、日中の太陽光ではほぼバランスのとれた色味となる。したがって、このホワイトバランス係数を調べることで光源の種類を特定することができる。
【００４７】
ホワイトバランス係数を調べた結果、Day Light（日中の太陽光）以外と判定した場合は、ステップＳ４１１へ進む。ホワイトバランス係数がDay Lightの場合はステップＳ４０７に進み、現在の時刻を調べる。調べた時刻から、現在が夜であると判定した場合は、ステップＳ４０１へ進む。昼と判定した場合はステップＳ４１１へ進む。
【００４８】
時刻から現在が朝又は夕方（夜および昼以外）と判定した場合は、再び被写体の輝度を調べる。このときの輝度が暗い場合（例えば、Ｂｖ８未満）の場合はステップＳ４１１へ進む。輝度が中程度（例えば、Ｂｖ８以上Ｂｖ１３未満）の場合はステップＳ４１０へ進む。
【００４９】
ステップＳ４１０およびステップＳ４１１では、ＣＰＵ１５は、ＡＦ補助光を点灯させるか否かを決定するためのしきい値としての被写体輝度である点灯輝度を設定する。すなわち、ＣＰＵ１５は、補助光制御手段としても機能する。
【００５０】
ステップＳ４１０での処理は、いわゆる遠近競合が起こりにくい、すなわち遠近競合の可能性がない又は低い（第２の可能性）と判定した場合の処理である。この場合は、点灯輝度を比較的暗い第２の輝度（低輝度：例えば、Ｂｖ１３程度）に設定する。これにより、ＡＥ処理回路１３での演算の結果、被写体輝度が第２の輝度以下である場合にＡＦ補助光が点灯されることとなり、ＡＦ補助光が点灯される確率は低くなる。
【００５１】
ステップＳ４１０へ進む場合は、撮影モードが遠景撮影モードやマクロ撮影モードに設定されている場合、被写体輝度が明るい場合、および被写体輝度が中程度もしくは暗く、かつ時刻が夜と判定された場合である。
【００５２】
遠景撮影モードは、風景など遠方の被写体を撮影するモードである。この場合は、被写体が遠方のものに限定されるので、遠近競合は起こりにくい。
【００５３】
マクロ撮影モードは、花や模型などの近距離被写体を撮影するモードである。この場合は、被写体が画面内に大きく捉えられるので、ＡＦ枠内に背景の被写体が入ることが少なく、遠近競合は起こりにくい。
【００５４】
また、被写体輝度が明るい場合としては、日中での屋外撮影とか、写真スタジオやスポーツ競技場などでの撮影が考えられる。ホワイトバランス係数がDay Lightで被写体輝度が明るい場合は、屋外で被写体に太陽光が当たっている状態での撮影であり、主被写体の近くに他の被写体が存在する確率は低く、遠近競合は起こりにくい。ホワイトバランス係数がDay Light以外で被写体輝度が明るい場合は、写真スタジオやスポーツ競技場など非常に明るい人工光源を有する場所での撮影と考えられる。写真スタジオは写真撮影のための環境が整備されているので、遠近競合は考えられない。また、スポーツ競技場では被写体となる人物（選手）が特定され、かつ撮影距離が長いので、遠近競合は起こりにくい。
【００５５】
また、被写体輝度の明るいシーンではＡＦ補助光を点灯しても、ＡＦ補助光が到達する割合が低く、点灯する効果が少ない。したがって、点灯輝度を低くすることは、無駄な消費電力を低減するためにも合理的である。
【００５６】
被写体輝度が中程度もしくは暗く、かつ夜であると判定された場合や、被写体輝度が中程度で朝または夕方と判定された場合は、どのような撮影状況かを判定するのが困難な場合である。この場合は、ＡＦ補助光の点灯輝度を比較的暗い輝度（低輝度）に設定することにより、ＡＦ補助光が点灯される確率を低くして無駄な電力消費を抑える。
【００５７】
ステップＳ４１１での処理は、遠近競合が起こりやすい、すなわち遠近競合の可能性がある又は高い（第１の可能性）と判定した場合の処理である。この場合は、ＡＦ補助光の点灯輝度を比較的明るい第１の輝度（中輝度：例えばＢｖ８程度）に設定する。これにより、ＡＥ処理回路１３での演算の結果、被写体輝度が第１の輝度以下である場合にＡＦ補助光が点灯されることとなり、ＡＦ補助光が点灯される確率はステップＳ４１０で低輝度の点灯輝度が設定される場合に比べて高くなる。
【００５８】
ステップＳ４１１へ進む場合は、撮影モードがパーティーモードやスナップモードに設定されている場合、被写体輝度が中程度もしくは暗く、かつホワイトバランス係数がDay Light以外と判定された場合である。また、被写体輝度が中程度もしくは暗く、かつ時刻が昼と判定された場合や、被写体輝度が暗く、かつ時刻が朝又は夕方と判定された場合である。
【００５９】
パーティーモードは、パーティー等で多くの被写体が存在する場所での撮影を行うモードであり、通常の被写体は室内の人物である。このため、主被写体と他の参加者やテーブル、装飾品などとの遠近競合が起こりやすい。
【００６０】
スナップモードは、屋内外で多少の動きのある人物をすばやく撮影する、いわゆるスナップショット画像を撮影するモードである。このため、主被写体と他の動いている人物や街路樹などの静止物との遠近競合が起こりやすい。
【００６１】
被写体輝度が中程度もしくは暗く、かつホワイトバランスがDay Light（日中の太陽光）以外と判定された場合は、白熱電球や蛍光灯などの人工光源で照明された被写体を撮影する場合である。これは、一般家庭やホテル、宴会場、公共施設の室内での撮影と判断できる。この場合は、主被写体と他の人物、家具、テーブル上の物などとの遠近競合が起こりやすい。
【００６２】
被写体輝度が中程度もしくは暗く、かつ時刻が昼と判定された場合や、被写体輝度が暗く、かつ時刻が朝又は夕方と判定された場合は、屋外の被写体に太陽光が当たっていると予想されるにもかかわらず、被写体輝度が想定する輝度になっていない場合である。この場合は、何らかの遮蔽物で太陽光が遮られていることが予想される。遮蔽物が多数存在すると遠近競合が起こりやすくなる。
【００６３】
なお、時刻は、海外旅行時の時差や時計機能の設定のし忘れなどによって不正確な場合がある。したがって、時刻の情報を使用しない場合もあり得る。この場合は、ステップＳ４０６でDay Lightと判定した場合は全てＳ４１０へ進み、遠近競合が起こりにくいと判定できる場合の処理を行う。これは、太陽光が被写体に当たっている状態での撮影は、屋外撮影がほとんどであるため、遠近競合は起きにくいからである。
【００６４】
このように、本実施例では、撮影モード、被写体輝度、ホワイトバランス係数および撮影時刻のうち少なくとも１つに基づいて、遠近競合の発生可能性を判定する。そして、判定結果に応じて、ＡＦ補助光を点灯させる被写体輝度を変更することにより、遠近競合が発生し易い状況で主被写体に対する評価信号（ＡＦ評価値）のピーク位置を検出できる確率を高める。このため、遠近競合の発生時に正確に主被写体に対する合焦を得ることができる。ホワイトバランス係数に代えて又はこれとともに、画像信号から得られる被写体の色情報を用いてもよい。
【００６５】
図３のステップＳ３０１で、ＡＦ補助光の点灯輝度を設定すると、ステップＳ３０２へ進む。ステップＳ３０２においては、ＣＰＵ１５は、ＡＦ補助光の設定を消灯とする。実質的にはそれ以前にＡＦ補助光は消灯されていることがほとんどであるので、この処理は確認のための処理となる。
【００６６】
次に、ステップＳ３０３では、ＣＰＵ１５は、ＳＷ１の状態を確認する。ＳＷ１がオフならば上記の動作を繰り返し、ＳＷ１がオンになるのを待つ。ＳＷ１がオンしていればステップＳ３０４へ進み、スキャン動作を開始する。
【００６７】
まず、ステップＳ３０４において、フォーカスレンズ３をスキャン動作の開始位置（例えば、無限遠相当位置）へ駆動する。
【００６８】
次に、ステップＳ３０５では、ＡＦ評価値を取得するためのフォーカスレンズ３の駆動を開始する。このとき、フォーカスレンズ３の駆動速度を画像データの読出し時間や焦点深度などに基づいて求め、その結果に従ってフォーカスレンズ３をスキャン終了位置方向へ駆動する。また、フォーカスレンズ３はスキャン開始位置から終了位置まで連続して駆動し、途中で停止させることはしない。
【００６９】
ステップＳ３０６では、ＣＰＵ１５は、スキャン動作中のフォーカスレンズ３の位置（以下、スキャン位置という）がＡＦ補助光を点灯する位置（以下、補助光点灯位置という）に到達したか否かを調べる。また、ステップＳ３０７では、被写体輝度がステップＳ３０１で設定されたＡＦ補助光の点灯輝度以下か否かを調べる。スキャン位置が補助光点灯位置に到達し、かつ被写体輝度が点灯輝度以下の場合は、ステップＳ３０８に進み、ＣＰＵ１５はＡＦ補助光駆動回路３２を通じてＡＦ補助光発光部３３を駆動し、ＡＦ補助光を点灯する。それ以外の場合は、ステップＳ３０９に進む。
【００７０】
ここで、補助光点灯位置の決定方法について説明する。補助光点灯位置は、ＡＦ補助光が到達する撮像装置１からの距離（以下、補助光到達距離という）と各ズームポジションにおける撮影距離の頻度とに基づいて決定する。
【００７１】
ＡＦにて合焦可能なＣＭＯＳ５の受光面上での光量（以下、ＡＦ可能受光量という）は、ＣＭＯＳ５のＳＮ比やＡＦのアルゴリズムによって決まっており、ＡＦによる合焦に必要な被写体の照度は、このＡＦ可能受光量と開放Ｆ値との積に相当する。ＡＦ補助光によって照明された被写体の照度は、ＡＦ補助光の発光光量に比例し、被写体距離の２乗に反比例する。したがって、補助光到達距離は、
補助光到達距離
＝√（ＡＦ補助光の発光光量÷ＡＦ可能受光量÷開放Ｆ値）
で求めることができる。
【００７２】
各ズームポジションにおける撮影距離の頻度に関する情報は、フォトスペースと呼ばれるデータベースに蓄積されている。これによれば、撮影頻度の高い距離は無限遠と数メートルの距離である。これは、一般的な撮影には、風景撮影と人物撮影が多いことを表している。人物撮影では、人物の上半身から全身を画面内に収める場合がほとんどであるため、そのときの撮影距離は、３５ｍｍカメラに換算した焦点距離から見当をつけることができる。例えば、３５ｍｍカメラで焦点距離が３５ｍｍであれば、本実施例の撮像装置１では撮影距離は１〜２．５ｍ、焦点距離が３５ｍｍ７０ｍｍであれば撮影距離は２〜５ｍ程度となる。
【００７３】
これらの補助光到達距離の情報と各ズームポジションで撮影頻度の高い距離の情報とを用いて、次のように補助光点灯位置を決定する。
【００７４】
補助光到達距離が各ズームポジションにおける撮影頻度の高い距離と等しいか又はそれよりも遠い場合は、補助光到達距離に対応するフォーカスレンズ位置を、補助光点灯位置とする。
【００７５】
また、補助光到達距離が各ズームポジションにおける撮影頻度の高い距離より近い場合は、補助光到達距離と撮影頻度の高い距離との平均値に対応するフォーカスレンズ位置を、補助光点灯位置とする。
【００７６】
ステップＳ３０９では、ＣＰＵ１５は、ＡＦ評価値を取得し、該ＡＦ評価値をスキャン位置情報とともに記憶する。
【００７７】
そして、ステップＳ３１０では、スキャン位置が終了位置（例えば、最至近相当位置）に到達したか否かの判定処理を行う。この結果、ステップＳ３１１でスキャン動作が終了していないと判定した場合は、ステップＳ３０６〜ステップＳ３１０を繰り返す。これにより、所定のスキャン間隔を隔てた複数のスキャン位置でのＡＦ評価値が取得（記憶）される。
【００７８】
一方、ステップＳ３１１でスキャン動作が終了したと判定した場合は、ステップＳ３２０へ進み、ＡＦ補助光を消灯する。その後、ステップＳ３２１でフォーカスレンズ３の駆動を停止させ、スキャン動作を終了する。
【００７９】
続いて、ステップＳ３２２では、ＣＰＵ１５は、スキャン動作によって得られた複数のＡＦ評価値を比較してそのピークが得られるフォーカスレンズ位置を求め、その位置にフォーカスレンズ３を駆動する。これにより、合焦が得られる。
【００８０】
図５には、スキャン動作とＡＦ補助光との関係を示している。図５において、横軸はフォーカスレンズ３の位置、縦軸はＡＦ評価値を示している。図５においてＡＦ評価値がピークとなるフォーカスレンズ位置（ピーク位置）が合焦位置であり、スキャンＡＦ処理ではそのようなピーク位置を見つけ、そのピーク位置にフォーカスレンズ３を駆動する。図５においては、互いに距離が異なる２つの被写体（主被写体と競合被写体）に対応する２つのピーク位置が存在し、遠近競合が起きている状態を示す。
【００８１】
図５において、白丸（○）は、ＡＦ補助光を点灯した状態での各スキャン位置でのＡＦ評価値を示す。また、黒丸（●）はＡＦ補助光を消灯した状態での各スキャン位置でのＡＦ評価値を示す。さらに、上が白で下が黒の丸は、距離が遠くてＡＦ補助光が到達しないためにＡＦ補助光を点灯した状態と消灯した状態とで同じＡＦ評価値が得られるスキャン位置とそこでのＡＦ評価値を示す。
【００８２】
図５では、理解を容易とするためにＡＦ評価値を連続したグラフ線として示しているが、実際には所定のスキャン間隔を隔てた複数のスキャン位置でのみＡＦ評価値を取得するため、丸で示した位置でのＡＦ評価値しか得られない。これは、スキャンＡＦ処理をできるだけ高速で行うためである。
【００８３】
このように遠近競合が起こり、かつ主被写体よりも遠方の競合被写体のコントラストが主被写体のそれよりも高い場合は、ＡＦ補助光を点灯した場合も消灯した場合も遠方の競合被写体の方がＡＦ評価値は高くなる。例えば、一般的な人の顔のコントラストは低いため、人物撮影では壁等の背景のコントラストの方が高くなる。
【００８４】
しかし、ＡＦ補助光を点灯した場合は、スキャン動作によって得られる主被写体に対するＡＦ評価値および競合被写体に対するＡＦ評価値のいずれもが山状に変化するため、それぞれのピーク位置を見つけることができる。この場合は、近い方のピーク位置を合焦位置とすることで、主被写体に合焦させることが可能になる。
【００８５】
これに対し、ＡＦ補助光を消灯した場合は、主被写体のＡＦ評価値は山状に変化せず、ピーク位置を見つけることができない。この場合は、主被写体に合焦させることが不可能となる。
【００８６】
このことから、ＡＦ補助光を点灯してスキャン動作を行う方が、遠近競合対策として有効であることが分かる。逆に言えば、至近側の被写体が存在する距離に対応する区間をスキャンする場合のみＡＦ補助光を点灯すれば、至近側のピーク位置を見つけることができることが分かる。
【００８７】
図５中の太い一点鎖線は、遠方の競合被写体が存在する距離に対応する区間をスキャンする場合はＡＦ補助光を点灯せず、近い方の主被写体が存在する距離に対応する区間をスキャンする場合にＡＦ補助光を点灯した場合のＡＦ評価値の変化を示している。この場合、遠方の競合被写体に対するＡＦ評価値より、近い方の主被写体に対するＡＦ評価値が大きくなり、より確実に主被写体に合焦させることが可能になる。
【００８８】
但し、このように近い方の被写体をスキャンする時のみにＡＦ補助光を点灯した場合の弊害もある。それについて図６Ａおよび図６Ｂを用いて説明する。
【００８９】
図６Ａおよび図６Ｂの横軸はフォーカスレンズ位置、縦軸はＡＦ評価値を示している。白丸（○）、黒丸（●）および上が白で下が黒の丸の意味は、図５と同じである。
【００９０】
図６Ａおよび図６Ｂには、主被写体に対応するフォーカスレンズ位置が補助光点灯位置より遠方にあり、かつこれらの位置が互いに近い場合を示している。この場合、ＡＦ補助光の点灯直後のＡＦ評価値（ＡＦＥ２）が点灯直前のＡＦ評価値（ＡＦＥ１）より大きくなるために、本来のＡＦ評価値の大小関係が逆転してしまう。したがって、ＡＦＥ２が得られるスキャン位置に基づいて偽合焦位置が合焦位置と決定されてしまい、ＡＦＥ１が得られるスキャン位置に基づいた正しい合焦位置にフォーカスレンズ３を駆動することができず、撮影画像はぼけてしまう。
【００９１】
このような弊害を回避するために、本実施例では以下の処理を行う。まず、このような偽合焦位置が生じたことを、簡易合焦度、補助光点灯位置とピーク位置との位置関係およびピーク位置の前後でのＡＦ評価値に基づいて判定する。ここで、簡易合焦度とは、スキャンＡＦ処理による合焦位置の算出に用いるＡＦ評価値とは別のＡＦ評価値（以下、第２のＡＦ評価値という）と被写体のコントラストを表す評価値との比である。
【００９２】
そして、ＣＰＵ１５は、合焦位置と判定したフォーカスレンズ位置が偽合焦位置であると判断した場合は、再度スキャン動作を行い、正しい合焦位置を求める。
【００９３】
図７を用いて、その処理について説明する。ステップＳ７０１では、ＣＰＵ１５は簡易合焦度を求める。この簡易合焦度は、前述したように、第２のＡＦ評価値を被写体のコントラストを表す評価値で除した値である。
【００９４】
なお、第２のＡＦ評価値と被写体のコントラストを表す評価値も、スキャンＡＦ処理回路１４で求められる。合焦位置算出のためのＡＦ評価値は、スキャンＡＦ処理回路１４に入力された１画面分のデジタル画像データの高周波成分をハイパスフィルター（ＨＰＦ）等を介して抽出し、更に累積加算等を行って求める。これに対し、第２のＡＦ評価値は、累積加算を行わずに、１画面分の画像データの高周波成分をハイパスフィルター（ＨＰＦ）等を介して抽出し、その信号の最大値を求めることで得られる。
【００９５】
簡易合焦度は、合焦時にある一定の値以上になり、非合焦時にはある一定の値未満の値になる。被写体によりその値は異なるため判断が困難な状況も生じるが、偽合焦位置か否かの判定には十分に使用できる。例えば、正しい合焦位置とみなせる場合は、この簡易合焦度は０．６〜２程度の値になる。一方、偽合焦位置の場合は、その位置での簡易合焦度の値から徐々に値が減少していき、完全にぼけた状態では０〜０．３程度の値になる。
【００９６】
このことから、簡易合焦度が低い場合（例えば、０．５未満の場合）には偽合焦位置とみなしてステップＳ７０２からステップＳ７１０へ進み、再スキャン動作を行う決定をして処理を終了する。また、簡易合焦度が高い場合（例えば１．５以上の場合）は、ステップＳ７０７へ進み、正しい合焦位置、すなわち合焦が得られたとみなして処理を終了する。
【００９７】
また、簡易合焦度が中程度（例えば、０．５以上１．５未満の場合）はステップＳ７０３に進み、ＡＦ評価値が最大となるピークスキャン位置ｐｍａｘを求める。
【００９８】
そして、ステップＳ７０４では、ピークスキャン位置ｐｍａｘと補助光点灯位置とを比較し、ピークスキャン位置ｐｍａｘが補助光点灯位置の１つ近側のスキャン位置でなければ、ステップＳ７０７へ進み、正しい合焦位置とみなして処理を終了する。
【００９９】
一方、ステップ７０４で、ピークスキャン位置ｐｍａｘが補助光点灯位置の１つ近側のスキャン位置である場合は、ステップＳ７０５に進む。ステップＳ７０５では、ピークスキャン位置ｐｍａｘの前後のスキャン位置ｐｍａｘ−１とｐｍａｘ＋１におけるＡＦ評価値Ｖｐｍａｘ−１とＶｐｍａｘ＋１を求める。
【０１００】
そして、ステップＳ７０６で、ＡＦ評価値Ｖｐｍａｘ−１とＶｐｍａｘ＋１の比を所定値Ｃ１，Ｃ２と比較する。例えば、Ｃ１は０．８、Ｃ２は１．２５程度の値に設定される。
【０１０１】
ここで、Ｃ１≦Ｖｐｍａｘ−１／Ｖｐｍａｘ＋１≦Ｃ２であれば、ステップＳ７０７に進み、合焦が得られたとみなして処理を終了する。それ以外の場合は、偽合焦位置とみなしてステップＳ７０２からステップＳ７１０へ進み、再スキャン動作を行う決定をして処理を終了する。
【０１０２】
再スキャン動作は、ＡＦ補助光を全スキャン区間で点灯して行うか、又はＡＦ補助光を消灯して行う。また、再スキャン動作を行わずに、ＡＦＮＧとして、所定のフォーカスレンズ位置にフォーカスレンズ３を駆動してもよい。
【実施例２】
【０１０３】
次に、本発明の実施例２である撮像装置におけるスキャンＡＦ処理について説明する。実施例１では補助光点灯位置においてＡＦ補助光を点灯し、それより遠方に対応する区間をスキャンする際はＡＦ補助光を消灯した。これに対し、本実施例では、無限遠相当位置でＡＦ補助光を消灯し、それよりも近い距離に対応する区間をスキャンする場合は対応する距離が近くなるほどＡＦ補助光を明るくしていく。そして、実施例１における補助光点灯位置より近い距離に対応する区間（以下、近距離合焦可能区間という）をスキャンする際はＡＦ補助光を最大輝度（最大発光強度）で発光する。
【０１０４】
なお、本実施例におけるＡＦ補助光の明るさ又は輝度とは、ＡＦ補助光発光部３３の輝度を意味する。
【０１０５】
また、本実施例のスキャンＡＦ処理が実行される撮像装置の構成および撮影処理シーケンスは実施例１と同じである。以下の説明において実施例１と共通する構成要素には実施例１と同符号を付す。
【０１０６】
図８には、本実施例でのスキャンＡＦ処理のシーケンスを示している。まず、ＳＷ１がオンされる前に、ＣＰＵ１５は、ステップＳ８０１でＡＦ補助光を点灯させる被写体輝度（点灯輝度）を設定する。この点灯輝度の設定方法は、実施例１（図４）と同じである。
【０１０７】
次に、ステップＳ８０２において、ＣＰＵ１５は、ＡＦ補助光を消灯する。実質的にはそれ以前に消灯されていることがほとんどであるので、この処理は確認のための処理となる。
【０１０８】
ステップＳ８０３では、ＣＰＵ１５は、ＳＷ１の状態を確認する。ＳＷ１がオフならば上記の動作を繰り返し、ＳＷ１がオンになるのを待つ。ＳＷ１がオンしていればステップＳ８０４へ進み、スキャン動作を開始する。
【０１０９】
ステップＳ８０４では、フォーカスレンズ３をスキャン動作の開始位置（無限遠相当位置）へ駆動する。
【０１１０】
次に、ステップＳ８０５では、ＡＦ評価値を取得するためのフォーカスレンズ３の駆動を開始する。このとき、フォーカスレンズ３の駆動速度を画像データの読出し時間や焦点深度などに基づいて求め、その結果に従ってフォーカスレンズ３をスキャン終了位置方向へ駆動する。また、フォーカスレンズ３はスキャン開始位置から終了位置まで連続して駆動し、途中で停止させることはしない。
【０１１１】
ステップＳ８０６では、ＣＰＵ１５は、被写体輝度がステップＳ８０１で設定されたＡＦ補助光の点灯輝度以下か否かを調べる。被写体輝度が点灯輝度以下の場合は、ステップＳ８０７に進み、スキャン位置が無限遠相当位置か否かをチェックする。被写体輝度が点灯輝度以下で、かつ無限遠相当位置でない場合はステップＳ８０８でＡＦ補助光を点灯する。そして、この後にこのステップを行うごとにＡＦ補助光の明るさ（輝度）を徐々に、すなわち段階的に増加させる。
【０１１２】
但し、ＡＦ補助光の輝度が最大輝度に達した場合は、これ以上の輝度アップは行わない。これにより、ＡＦ補助光の輝度は、近距離合焦可能区間よりも遠距離の被写体に合焦可能なスキャン区間（以下、遠距離合焦可能区間という）で徐々に増加する。そして、その後は、近距離合焦可能区間において、ＡＦ補助光発光部３３により発光可能な最大輝度（言い換えれば、遠距離合焦可能区間での最大輝度以上の輝度）でのＡＦ補助光の点灯が継続される。
【０１１３】
このように、無限遠相当位置以外でのスキャン動作中は一旦点灯したＡＦ補助光を消灯せず、輝度を徐々に上げていき、最終的に最大輝度で点灯させる。
【０１１４】
そして、ステップＳ８０９では、ＣＰＵ１５は、ＡＦ評価値を取得し、該ＡＦ評価値をスキャン位置情報とともに記憶する。
【０１１５】
次に、ステップＳ８１０では、スキャン位置が終了位置（最至近相当位置）に到達したか否かの判定処理を行う。この結果、ステップＳ８１１でスキャン動作が終了していないと判定した場合は、ステップＳ８０６〜ステップＳ８１０を繰り返す。これにより、所定のスキャン間隔を隔てた複数のスキャン位置でのＡＦ評価値が取得（記憶）される。
【０１１６】
一方、ステップＳ８１１でスキャン動作が終了したと判定した場合は、ステップＳ８２０へ進み、ＡＦ補助光を消灯する。その後、ステップＳ８２１でフォーカスレンズ３の駆動を停止させ、スキャン動作を終了する。
【０１１７】
続いて、ステップＳ８２２では、ＣＰＵ１５は、スキャン動作によって得られた複数のＡＦ評価値を比較してそのピークが得られるフォーカスレンズ位置を求め、その位置にフォーカスレンズ３を駆動する。これにより、合焦が得られる。
【０１１８】
図９には、本実施例でのスキャン動作とＡＦ補助光との関係を示している。横軸はフォーカスレンズ３の位置を、縦軸はＡＦ評価値を示している。
【０１１９】
図９においてＡＦ評価値がピークとなるフォーカスレンズ位置（ピーク位置）が合焦位置であり、スキャンＡＦ処理ではそのようなピーク位置を見つけ、そのピーク位置にフォーカスレンズ３を駆動する。図９においては、互いに距離が異なる２つの被写体（主被写体と競合被写体）に対応する２つのピーク位置が存在し、遠近競合が起きている状態を示す。
【０１２０】
図９における白丸（○）、黒丸（●）および上が白で下が黒の丸の意味は実施例１と同じである。また、図９では、ＡＦ評価値を連続したグラフ線として示しているが、実施例１と同様に、実際には所定のスキャン間隔を隔てた複数のスキャン位置でのみＡＦ評価値を取得するため、丸で示した位置でのＡＦ評価値しか得られない。
【０１２１】
このような遠近競合が起こる状況において、主被写体に正しく合焦させるために、ＡＦ補助光を点灯してスキャン動作を行うことが有効であることは実施例１で説明した通りである。
【０１２２】
図９中の太い一点鎖線で描いたグラフは、前述したように無限遠相当位置でＡＦ補助光を消灯し、それよりも近い距離に対応する区間をスキャンする際に対応距離が近くなるにつれてＡＦ補助光の輝度を上げた場合のＡＦ評価値の変化を示す。
【０１２３】
この場合は、遠方の競合被写体に対するＡＦ評価値より、近い方の主被写体に対するＡＦ評価値が大きくなり、より確実に近い方の主被写体に合焦させることが可能になる。
【０１２４】
なお、実施例１では、主被写体の位置が補助光点灯位置より遠方にあり、かつこれらの位置が互いに近い場合に、偽合焦位置が合焦位置と決定されてしまうという弊害が発生する可能性があったが、本実施例ではこのような弊害は生じない。本実施例では、図１０に示すように、無限遠相当位置から徐々にＡＦ補助光の輝度を上げているため、主被写体に対応するフォーカスレンズ位置の前後で被写体の輝度が大きく変化せず、ＡＦ評価値（ＡＦＥ１，ＡＦＥ２）の変化も少ないからである。
【０１２５】
なお、本実施例では、遠距離合焦可能区間において無限遠側から至近側に向かってＡＦ補助光の明るさを徐々に明るくしていく場合について説明した。しかし、遠距離合焦可能区間においてＡＦ補助光の明るさを一定（例えば、最大明るさの半分）とし、近距離合焦可能区間において最大明るさとするように切り換えてもよい。
【０１２６】
また、上記各実施例では、スキャンＡＦ処理においてフォーカスレンズを無限遠側から至近側にスキャン動作させる場合について説明したが、これとは逆方向にフォーカスレンズをスキャン動作させてもよい。
【０１２７】
また、上記各実施例では、レンズ鏡筒が一体的に設けられた撮像装置について説明したが、本発明は、レンズ交換式の撮像装置（一眼レフデジタルカメラ）にも適用することができる。さらに、撮像装置から画像信号を取得してスキャンＡＦ処理を行う光学機器としての交換レンズにも適用することができる。
【０１２８】
また、本発明における遠近競合の発生可能性の判定方法は上記実施例で説明した方法に限られず、種々の方法を採用することができる。
【図面の簡単な説明】
【０１２９】
【図１】本発明の実施例１，２である撮像装置の構成を示すブロック図。
【図２】実施例１，２の撮像装置における撮影処理シーケンスのフローチャート。
【図３】実施例１の撮像装置におけるスキャンＡＦ処理シーケンスのフローチャート。
【図４】実施例１，２におけるＡＦ補助光の点灯輝度設定動作のフローチャート。
【図５】実施例１のスキャンＡＦ処理の説明図。
【図６Ａ】実施例１のスキャンＡＦ処理における問題を説明する図。
【図６Ｂ】実施例１のスキャンＡＦ処理における問題を説明する図。
【図７】実施例１のスキャンＡＦ処理における問題を解決する手段を説明する図。
【図８】実施例２の撮像装置におけるスキャンＡＦ処理シーケンスのフローチャート。
【図９】実施例２におけるスキャンＡＦ処理の説明図。
【図１０】実施例２におけるスキャンＡＦ処理の説明図。
【符号の説明】
【０１３０】
１  撮像装置
２  ズームレンズ
３  フォーカスレンズ
４  絞り
５  固体撮像素子
１４  スキャンＡＦ処理回路
１５  ＣＰＵ
３３  ＡＦ補助光発光部
【図１】
2008058701.tif 000003
【図２】
2008058701.tif 000004
【図３】
2008058701.tif 000005
【図４】
2008058701.tif 000006
【図５】
2008058701.tif 000007
【図６Ａ】
2008058701.tif 000008
【図６Ｂ】
2008058701.tif 000009
【図７】
2008058701.tif 000010
【図８】
2008058701.tif 000011
【図９】
2008058701.tif 000012
【図１０】
2008058701.tif 000013